【手続補正書】
【提出日】平成19年3月23日(2007.3.23)
【手続補正１】
【補正対象書類名】明細書
【補正対象項目名】発明の名称
【補正方法】変更
【補正の内容】
【発明の名称】振動検出手段の駆動装置
【手続補正２】
【補正対象書類名】明細書
【補正対象項目名】特許請求の範囲
【補正方法】変更
【補正の内容】
【特許請求の範囲】
【請求項１】  振動を検出する振動検出手段と、電源と、前記電源の電圧を昇圧する昇圧手段と、前記電源の電力又は前記昇圧手段からの電力のいずれかを前記振動検出手段に選択して与える電力供給手段とを有することを特徴とする振動検出手段の駆動装置。
【請求項２】  請求項１に記載の振動検出手段の駆動装置が搭載された光学機器であって、
前記電力供給手段は、前記光学機器の主電源がオンされたときには前記振動検出手段に前記電源から電力が供給されるようにし、前記光学機器に撮影準備操作がなされたときには前記振動検出手段に前記昇圧手段から電力が供給されるようにすることを特徴とする光学機器。
【手続補正３】
【補正対象書類名】明細書
【補正対象項目名】０００１
【補正方法】変更
【補正の内容】
【０００１】
【発明が属する技術分野】
本発明は、振動検出手段の駆動装置に関し、特に、カメラ等の光学機器に加わる１Ｈｚ乃至１０Ｈｚ程度の手ブレ等の振動を検出する振動検出手段の駆動装置に関する。
【手続補正４】
【補正対象書類名】明細書
【補正対象項目名】００１４
【補正方法】変更
【補正の内容】
【００１４】
ここでは振動検出手段４５ｐとしてカメラのブレ角速度を検出する振動ジャイロやレーザージャイロ等の角速度計を用いており、これら振動検出手段はカメラの撮影準備操作すなわちレリーズボタン４３ａ半押しｓ１と同期して駆動されカメラに加わるブレ角速度の検出を開始する。
【手続補正５】
【補正対象書類名】明細書
【補正対象項目名】００１９
【補正方法】変更
【補正の内容】
【００１９】
具体的には、このＤＣカットフィルタ４７Ｐｄはｓ１から０．３７秒経過した時には１０Ｈｚ以下の周波数をカットするフィルタ特性であり、その後５０ｍｓｅｃ毎にフィルタでカットする周波数を５Ｈｚ、１Ｈｚ、０．５Ｈｚ、０．２Ｈｚと下げてゆく。但し上記動作の間に撮影者がシャッタレリーズボタンを押し切り（ｓ２）して撮影指令を行った時は直ちに撮影を行う可能性があり、時間を費やして時定数変更を行うことが好ましくない場合もある。そこでその様な時には撮影条件に応じて時定数変更を途中で中止する。例えばｓ１操作すなわちレリーズボタン半押し操作で行っている測光結果により撮影シャッタスピードが１／３０となることが判明し、撮影焦点距離が７７ｍｍの時には防振の精度はさほど要求されないためにＤＣカットフィルタ４７Ｐｄは０．５Ｈｚ以下の周波数をカットする特性まで時定数変更した時点で完了とする。このように、シャッタスピードと撮影焦点距離の積により時定数変更量を制御するこれにより、時定数変更の時間を短縮でき、シャッタチャンスを優先することができる。勿論より速いシャッタスピード、或いはより短い焦点距離の時にはＤＣフィルタ４７Ｐｄの特性は１Ｈｚ以下の周波数をカットする特性まで時定数変更した時点で完了とし、より遅いシャッタスピード、長い焦点距離の時には時定数が最後まで変更完了するまで撮影を禁止する。
【手続補正６】
【補正対象書類名】明細書
【補正対象項目名】００２０
【補正方法】変更
【補正の内容】
【００２０】
積分手段４７Ｐｅは、ｓ２操作すなわちカメラのシャッタレリーズボタン押し切りに応じてＤＣカットフィルタ４７Ｐｄの信号の積分を始め、角速度信号を角度信号に変換する。
【手続補正７】
【補正対象書類名】明細書
【補正対象項目名】００２２
【補正方法】変更
【補正の内容】
【００２２】
ｓ２操作すなわちシャッタレリーズボタンの押し切りで積分手段はブレ角速度を積分してブレ角度に変換し、その信号を基にズーム、フォーカス情報で目標値を作成し、その目標値で補正手段５３をブレ角度信号に応じて駆動し始めるわけではあるが、この時補正手段のブレ補正動作が急激に始まらない様に注意する必要がある。
【手続補正８】
【補正対象書類名】明細書
【補正対象項目名】００２５
【補正方法】変更
【補正の内容】
【００２５】
ＰＷＭデューティ変更手段４７Ｐｈの出力はＰＷＭドライバ等の公知の駆動手段４８Ｐに入力され駆動手段４８Ｐの出力を補正手段５３のコイルに印加してブレ補正を行う。駆動手段４８Ｐは露光に同期してオンし、フィルムへの露光が終了するとオフされる。また、露光が終了してもレリーズボタンが半押し（ｓ１）されている限り積分手段４７Ｐｅは積分を継続しており、次のｓ２で再び第２記憶手段４７Ｐｆが新たな積分出力を記憶する。
【手続補正９】
【補正対象書類名】明細書
【補正対象項目名】００２６
【補正方法】変更
【補正の内容】
【００２６】
ｓ１操作すなわちシャッタレリーズボタンの半押し操作を止めると積分手段４７ＰｅはＤＣカットフィルタ４７ｐｄの出力の積分を止め、積分手段のリセットを行う。リセットとは今まで積分してきた情報をすべてカラにすることである。
【手続補正１０】
【補正対象書類名】明細書
【補正対象項目名】００２７
【補正方法】変更
【補正の内容】
【００２７】
ｓ１操作すなわちレリーズボタンの半押し操作が解除されても例えば１分は振動検出手段は駆動されており、次の撮影に備えている。ただし、カメラのメインスイッチをオフすると駆動は停止する。
【手続補正１１】
【補正対象書類名】明細書
【補正対象項目名】００６７
【補正方法】変更
【補正の内容】
【００６７】
【課題を解決するための手段】
上記の課題を解決するための本発明の振動検出手段の駆動装置は、振動を検出する振動検出手段と、電源と、前記電源の電圧を昇圧する昇圧手段と、前記電源の電力又は前記昇圧手段からの電力のいずれかを前記振動検出手段に選択して与える電力供給手段とを有する。
【手続補正１２】
【補正対象書類名】明細書
【補正対象項目名】００６８
【補正方法】変更
【補正の内容】
【００６８】
又、本発明の光学機器は、前記振動検出手段の駆動装置が搭載され、
前記電力供給手段は、前記光学機器の主電源がオンされたときには前記振動検出手段に前記電源から電力が供給されるようにし、前記光学機器に撮影準備操作がなされたときには前記振動検出手段に前記昇圧手段から電力が供給されるようにしている。
【手続補正１３】
【補正対象書類名】明細書
【補正対象項目名】００６９
【補正方法】削除
【補正の内容】
【手続補正１４】
【補正対象書類名】明細書
【補正対象項目名】００７０
【補正方法】削除
【補正の内容】
【手続補正１５】
【補正対象書類名】明細書
【補正対象項目名】００７１
【補正方法】削除
【補正の内容】
【手続補正１６】
【補正対象書類名】明細書
【補正対象項目名】００７２
【補正方法】削除
【補正の内容】
【手続補正１７】
【補正対象書類名】明細書
【補正対象項目名】００８３
【補正方法】変更
【補正の内容】
【００８３】
レリーズ手段１１３押し切りｓ２が行われるとカメラマイコン１１は振動検出手段１９の信号を基に補正手段１１０を制御してブレ補正を始める。また、シャッタ駆動手段１４を制御してフィルムへの露光を行い、状況に応じて閃光手段１７を発光させる。
【手続補正１８】
【補正対象書類名】明細書
【補正対象項目名】００８６
【補正方法】変更
【補正の内容】
【００８６】
そして、カメラのメインスイッチ１１４をオンした時からレリーズ手段１１３のレリーズボタン半押しｓ１までは切換スイッチ１１９はＶ２側と接続しており、振動検出手段１９は電源から直接電力を供給されている。
【手続補正１９】
【補正対象書類名】明細書
【補正対象項目名】００８７
【補正方法】変更
【補正の内容】
【００８７】
そしてレリーズ手段１３のレリーズボタン半押し操作ｓ１が行われるとカメラマイコン１１はそのことを検知し切換スイッチ１１９をＶ１側に切り替える。
【手続補正２０】
【補正対象書類名】明細書
【補正対象項目名】００９１
【補正方法】変更
【補正の内容】
【００９１】
こうしておいて、レリーズ手段１３が操作された時、振動検出手段１９に安定化された電源Ｖ１が入力されると、直ちに振動検出に移行する。従って、振動検出手段の起動迄の待機時間がなくなる。
【手続補正２１】
【補正対象書類名】明細書
【補正対象項目名】００９６
【補正方法】変更
【補正の内容】
【００９６】
このようにメインスイッチで振動検出手段１９を起動するが、実際には角速度センサ素子や半導体レーザーのみを予備駆動させているだけで実際に正確な振動検出が行える訳ではない。従って、予備起動後にレリーズボタン半押し操作ｓ１時には安定化電圧に切り替えて正確な振動検出を行えるようにする。
【手続補正２２】
【補正対象書類名】明細書
【補正対象項目名】００９７
【補正方法】変更
【補正の内容】
【００９７】
又、カメラのメインスイッチ１４のオンからレリーズ手段１３のレリーズボタンの半押しｓ１までは振動検出手段への駆動電圧を例えば２．４Ｖのように低く設定でき、更に振動検出手段の駆動の為に昇圧手段（ＤＣ／ＤＣコンバータ１１７）を駆動させる必要が無いのでこの間振動検出手段を駆動させる電力は極めて少なくて済む。
【手続補正２３】
【補正対象書類名】明細書
【補正対象項目名】００９８
【補正方法】変更
【補正の内容】
【００９８】
撮影終了後レリーズ手段１３のレリーズボタン半押しを解除すると所定時間例えば１分振動検出手段を安定化電源Ｖ１で駆動する。これは連続して撮影を行う場合に直ぐに防振が行えるようにする為であり、従来と同様にカメラマイコン１１内のＤＣカットフィルタ４７Ｐｄ、積分手段４７Ｐｅの演算も継続している。
【手続補正２４】
【補正対象書類名】明細書
【補正対象項目名】００９９
【補正方法】変更
【補正の内容】
【００９９】
そしてその後たとえば１分後に振動検出手段に与える電圧は電力Ｖ２に切り替えられ、ＤＣ／ＤＣコンバータ１１７の駆動も止められ、振動検出手段の駆動は省電力化される。レリーズボタンの半押し操作ｓ１解除後たとえば３分間カメラの操作が何もされない時にはカメラは撮影鏡筒を沈胴させ自ら主電源を切る。
【手続補正２５】
【補正対象書類名】明細書
【補正対象項目名】０１０５
【補正方法】変更
【補正の内容】
【０１０５】
ステップ＃１００３ではレリーズボタン半押しｓ１が行われたか否か判断し、半押しされた場合にはステップ＃１００９に進み、そうでない時はステップ＃１００４に進む。
【手続補正２６】
【補正対象書類名】明細書
【補正対象項目名】０１１４
【補正方法】変更
【補正の内容】
【０１１４】
ステップ＃１００７ではレリーズボタン半押しｓ１まで待機する。
【手続補正２７】
【補正対象書類名】明細書
【補正対象項目名】０１１５
【補正方法】変更
【補正の内容】
【０１１５】
そしてレリーズボタンｓ１が操作されるとステップ＃１００８に進む。
【手続補正２８】
【補正対象書類名】明細書
【補正対象項目名】０１１８
【補正方法】変更
【補正の内容】
【０１１８】
ステップ＃１００９では再度レリーズボタン半押しｓ１を検出し、継続して半押しされていた時にはステップ＃１０１０に進み、半押しが解除された時にはステップ＃１０１３に進む。
【手続補正２９】
【補正対象書類名】明細書
【補正対象項目名】０１１９
【補正方法】変更
【補正の内容】
【０１１９】
ステップ＃１０１０ではレリーズボタンの押し切りｓ２を検出しており、押し切りｓ２操作が行われた時にはステップ＃１０１１に進み、押し切りｓ２操作が行われるまではステップ＃１００９を循環して待機する。
【手続補正３０】
【補正対象書類名】明細書
【補正対象項目名】０１２１
【補正方法】変更
【補正の内容】
【０１２１】
ステップ＃１０１２ではレリーズボタンの半押しｓ１を検出しており、半押しｓ１が解除されるとステップ＃１０１３に進み、解除されるまでこのステップで待機する。
【手続補正３１】
【補正対象書類名】明細書
【補正対象項目名】０１２７
【補正方法】変更
【補正の内容】
【０１２７】
即ちレリーズボタン半押し操作ｓ１の解除からＴ２経過すると振動検出手段は予備駆動モードとなり振動検出は出来ないが瞬時に駆動を再開できる様にしておき、省電力化を図る。
【手続補正３２】
【補正対象書類名】明細書
【補正対象項目名】０１２８
【補正方法】変更
【補正の内容】
【０１２８】
ステップ＃１０１６はレリーズボタンｓ１解除からＴ２経過していない場合に進むステップであり、レリーズボタン半押しｓ１を検出し半押しｓ１操作が行われた時にはステップ＃１０１０に戻りレリーズボタン押し切りｓ２を待機し、半押しｓ１操作が行われない時にはステップ＃１０１４に戻りＴ２経過するまで待機する。
【手続補正３３】
【補正対象書類名】明細書
【補正対象項目名】０１２９
【補正方法】変更
【補正の内容】
【０１２９】
これによりレリーズボタン半押しｓ１解除からＴ２（例えば１分）の間に再度撮影を行った場合には振動検出手段は継続して振動検出を行うので瞬時にブレ補正に対応できる。
【手続補正３４】
【補正対象書類名】明細書
【補正対象項目名】０１３３
【補正方法】変更
【補正の内容】
【０１３３】
ステップ＃１０２１ではレリーズボタン半押し操作ｓ１を検出し、半押しｓ１操作が行われた時はステップ＃１００８に戻り再びＤＣ／ＤＣコンバータ１１７を起動し振動検出手段に振動検出を行わせる。
【手続補正３５】
【補正対象書類名】明細書
【補正対象項目名】０１３４
【補正方法】変更
【補正の内容】
【０１３４】
又、レリーズボタン半押しｓ１操作が行われない時はステップ＃１０１９に戻り、時刻Ｔ３が経過するまでレリーズボタン半押しｓ１を検出しつつ待機を続ける。尚、図３においてレリーズ半押しｓ１タイミングで供給電圧をｖ２（第１のモード）からＶ１（第２のモード）に切り替えるとき一旦電圧を破線で示すＶ３（第３のモード）まで下げてもよい。これは、一旦電圧を下げるか、電圧供給を止めることで、振動検出手段内部回路をリセットすることを目的としている。
【手続補正３６】
【補正対象書類名】明細書
【補正対象項目名】０２２３
【補正方法】変更
【補正の内容】
【０２２３】
そして、カメラのメインスイッチ１１４をオンした時からレリーズ手段１１３のレリーズボタン半押しｓ１まではカメラマイコン１１はＤＣ／ＤＣコンバータ１１７を間欠的にオン、オフして振動検出手段１９に電力を供給している。
【手続補正３７】
【補正対象書類名】明細書
【補正対象項目名】０２２４
【補正方法】変更
【補正の内容】
【０２２４】
そしてレリーズ手段１３のレリーズボタン半押しｓ１操作が行われるとカメラマイコン１１はその事を検知しＤＣ／ＤＣコンバータ１１７の間欠駆動を止め、定常駆動に切換える。
【手続補正３８】
【補正対象書類名】明細書
【補正対象項目名】０２２８
【補正方法】変更
【補正の内容】
【０２２８】
そのためにレリーズ手段１３が操作され、ＤＣ／ＤＣコンバータ１１７が定常駆動されると、直ちに振動検出に移る事ができ、振動検出手段の起動迄の待機時間をなくす事ができる。
【手続補正３９】
【補正対象書類名】明細書
【補正対象項目名】０２３６
【補正方法】変更
【補正の内容】
【０２３６】
この様にメインスイッチで振動検出手段１９を起動（実際には角速度センサ素子や半導体レーザーのみを予備駆動させているだけで正確な振動検出が行える訳ではない）するのでレリーズボタン半押しｓ１時には振動検出手段は直ちに振動検出を行える。
【手続補正４０】
【補正対象書類名】明細書
【補正対象項目名】０２３７
【補正方法】変更
【補正の内容】
【０２３７】
又、カメラのメインスイッチ１４のオンからレリーズ手段１３のレリーズボタンの半押しｓ１まではＤＣ／ＤＣコンバータ１１７を間欠的に駆動するのでこの間振動検出手段を駆動させる電力は極めて少なくて済む。
【手続補正４１】
【補正対象書類名】明細書
【補正対象項目名】０２３８
【補正方法】変更
【補正の内容】
【０２３８】
撮影終了後レリーズ手段１３のレリーズボタン半押しを解除すると所定時間（例えば１分）ＤＣ／ＤＣコンバータを定常駆動する。これは連続して撮影を行う場合に直ぐに防振が行えるようにする為であり、従来例でも説明した様にカメラマイコン１１内のＤＣカットフィルタ４７Ｐｄ、積分手段４７Ｐｅの演算も継続している。
【手続補正４２】
【補正対象書類名】明細書
【補正対象項目名】０２４０
【補正方法】変更
【補正の内容】
【０２４０】
レリーズボタンの半押し解除後３分間カメラの操作が何もされない時にはカメラは撮影鏡筒を沈胴させ自ら主電源を切る。
【手続補正４３】
【補正対象書類名】明細書
【補正対象項目名】０２４６
【補正方法】変更
【補正の内容】
【０２４６】
ステップ＃１００３ではレリーズボタン半押しｓ１が行われたか否か判断し、半押しされた場合にはステップ＃１００９に進み、そうでない時はステップ＃１００４に進む。
【手続補正４４】
【補正対象書類名】明細書
【補正対象項目名】０２５６
【補正方法】変更
【補正の内容】
【０２５６】
ステップ＃１００７ではレリーズボタン半押しｓ１まで待機する。
【手続補正４５】
【補正対象書類名】明細書
【補正対象項目名】０２５７
【補正方法】変更
【補正の内容】
【０２５７】
そしてレリーズボタンｓ１が操作されるとステップ＃２００３に進む。
【手続補正４６】
【補正対象書類名】明細書
【補正対象項目名】０２６０
【補正方法】変更
【補正の内容】
【０２６０】
ステップ＃１００９では再度レリーズボタン半押しｓ１を検出し、継続して半押しされていた時にはステップ＃１０１０に進み、半押しが解除された時にはステップ＃１０１３に進む。
【手続補正４７】
【補正対象書類名】明細書
【補正対象項目名】０２６１
【補正方法】変更
【補正の内容】
【０２６１】
ステップ＃１０１０ではレリーズボタンの押し切りｓ２を検出しており、押し切りｓ２操作が行われた時にはステップ＃１０１１に進み、押し切りｓ２操作が行われるまではステップ＃１００９を循環して待機する。
【手続補正４８】
【補正対象書類名】明細書
【補正対象項目名】０２６３
【補正方法】変更
【補正の内容】
【０２６３】
ステップ＃１０１２ではレリーズボタンの半押しｓ１を検出しており、半押しｓ１が解除されるとステップ＃１０１３に進み、解除されるまでこのステップで待機する。
【手続補正４９】
【補正対象書類名】明細書
【補正対象項目名】０２６９
【補正方法】変更
【補正の内容】
【０２６９】
即ちレリーズボタン半押しｓ１の解除からＴ２経過すると振動検出手段は予備駆動モードとなり振動検出は出来ないが瞬時に駆動を再開できる様にしておき、省電力化を図る。
【手続補正５０】
【補正対象書類名】明細書
【補正対象項目名】０２７０
【補正方法】変更
【補正の内容】
【０２７０】
図１６の左下のステップ＃１０１６はレリーズボタンｓ１解除からＴ２経過していない場合に進むステップであり、レリーズボタン半押しｓ１を検出し半押しｓ１操作が行われた時にはステップ＃１０１０に戻りレリーズボタン押し切りｓ２を待機し、半押しｓ１操作が行われない時にはステップ＃１０１４に戻りＴ２経過するまで待機する。
【手続補正５１】
【補正対象書類名】明細書
【補正対象項目名】０２７１
【補正方法】変更
【補正の内容】
【０２７１】
これによりレリーズボタン半押しｓ１解除からＴ２（例えば１分）の間に再度撮影を行った場合には振動検出手段は継続して振動検出を行うので瞬時にブレ補正に対応できる。
【手続補正５２】
【補正対象書類名】明細書
【補正対象項目名】０２７５
【補正方法】変更
【補正の内容】
【０２７５】
ステップ＃１０２１ではレリーズボタン半押しｓ１操作を検出し、半押しｓ１操作が行われた時はステップ＃２００３に戻り再びＤＣ／ＤＣコンバータ１１７を定常駆動し振動検出手段に振動検出を行わせる。
【手続補正５３】
【補正対象書類名】明細書
【補正対象項目名】０２７６
【補正方法】変更
【補正の内容】
【０２７６】
又、レリーズボタン半押しｓ１操作が行われない時はステップ＃１０１９に戻り、時刻Ｔ３が経過するまでレリーズボタン半押しｓ１を検出しつつ待機を続ける。
【手続補正５４】
【補正対象書類名】明細書
【補正対象項目名】０２７７
【補正方法】変更
【補正の内容】
【０２７７】
尚、予備駆動時（メインスイッチオン０．５秒後からレリーズボタン半押しｓ１迄等）において図１４の例ではＤＣ／ＤＣコンバータ１１７からの電圧は等しく、デューティを下げていたが、本発明はこれに限定されない。
【手続補正５５】
【補正対象書類名】明細書
【補正対象項目名】０２９３
【補正方法】変更
【補正の内容】
【０２９３】
そして、カメラのメインスイッチ１１４をオンした時からレリーズ手段１１３のレリーズボタン半押しｓ１まではカメラマイコン１１はＤＣ／ＤＣコンバータ１１７をオフし、切換スイッチ１１９ａをオフ１１９ｂをオンし、機構部１９ａのみを駆動するように電源１１６より機構部１９ａに電力を供給している。
【手続補正５６】
【補正対象書類名】明細書
【補正対象項目名】０２９４
【補正方法】変更
【補正の内容】
【０２９４】
そしてレリーズ手段１３のレリーズボタン半押しｓ１操作が行われるとカメラマイコン１１はその事を検知しＤＣ／ＤＣコンバータ１１７をオンし、切換スイッチ１１９ａをオンする事で回路部にも電力を供給する。
【手続補正５７】
【補正対象書類名】明細書
【補正対象項目名】０２９８
【補正方法】変更
【補正の内容】
【０２９８】
そのためにレリーズ手段１３が操作され、ＤＣ／ＤＣコンバータ１１７がオンし、回路部に電力が供給されると、直ちに振動検出に移る事ができ、振動検出手段の起動迄の待機時間をなくす事ができる。
【手続補正５８】
【補正対象書類名】明細書
【補正対象項目名】０３０３
【補正方法】変更
【補正の内容】
【０３０３】
この様にメインスイッチで振動検出手段１９を起動（実際には角速度センサ素子や半導体レーザーのみを予備駆動させているだけで実際に正確な振動検出が行える訳ではない）するのでレリーズボタン半押しｓ１時には振動検出手段は直ちに振動検出を行える。
【手続補正５９】
【補正対象書類名】明細書
【補正対象項目名】０３０４
【補正方法】変更
【補正の内容】
【０３０４】
又、カメラのメインスイッチ１４のオンからレリーズ手段１３のレリーズボタンの半押しｓ１まではＤＣ／ＤＣコンバータ１１７をオフし、回路部の駆動を止めるのでこの間振動検出手段を駆動させる電力は極めて少なくて済む。
【手続補正６０】
【補正対象書類名】明細書
【補正対象項目名】０３０５
【補正方法】変更
【補正の内容】
【０３０５】
撮影終了後レリーズ手段１３のレリーズボタン半押しを解除しても所定時間（例えば１分）ＤＣ／ＤＣコンバータをオンし回路部も駆動している。これは連続して撮影を行う場合に直ぐに防振が行えるようにする為であり、従来例でも説明した様にカメラマイコン１１内のＤＣカットフィルタ４７Ｐｄ、積分手段４７Ｐｅの演算も継続している。
【手続補正６１】
【補正対象書類名】明細書
【補正対象項目名】０３０７
【補正方法】変更
【補正の内容】
【０３０７】
レリーズボタンの半押し解除後３分間カメラの操作が何もされない時にカメラは撮影鏡筒を沈胴させ自ら主電源を切る。
【手続補正６２】
【補正対象書類名】明細書
【補正対象項目名】０３１３
【補正方法】変更
【補正の内容】
【０３１３】
ステップ＃１００３ではレリーズボタン半押しｓ１が行われたか否か判断し、半押しされた場合にはステップ＃１００９に進み、そうでない時はステップ＃１００４に進む。
【手続補正６３】
【補正対象書類名】明細書
【補正対象項目名】０３２２
【補正方法】変更
【補正の内容】
【０３２２】
ステップ＃１００７ではレリーズボタン半押しｓ１まで待機する。
【手続補正６４】
【補正対象書類名】明細書
【補正対象項目名】０３２３
【補正方法】変更
【補正の内容】
【０３２３】
そしてレリーズボタンｓ１が操作されるとステップ＃３００３に進む。
【手続補正６５】
【補正対象書類名】明細書
【補正対象項目名】０３２６
【補正方法】変更
【補正の内容】
【０３２６】
ステップ＃１００９では再度レリーズボタン半押しｓ１を検出し、継続して半押しされていた時にはステップ＃１０１０に進み、半押しが解除された時にはステップ＃１０１３に進む。
【手続補正６６】
【補正対象書類名】明細書
【補正対象項目名】０３２７
【補正方法】変更
【補正の内容】
【０３２７】
ステップ＃１０１０ではレリーズボタンの押し切りｓ２を検出しており、押し切りｓ２操作が行われた時にはステップ＃１０１１に進み、押し切りｓ２操作が行われるまではステップ＃１００９を循環して待機する。
【手続補正６７】
【補正対象書類名】明細書
【補正対象項目名】０３２９
【補正方法】変更
【補正の内容】
【０３２９】
ステップ＃１０１２ではレリーズボタンの半押しｓ１を検出しており、半押しｓ１が解除されるとステップ＃１０１３に進み、解除されるまでこのステップで待機する。
【手続補正６８】
【補正対象書類名】明細書
【補正対象項目名】０３３５
【補正方法】変更
【補正の内容】
【０３３５】
即ちレリーズボタン半押しｓ１の解除からＴ２経過すると振動検出手段は予備駆動モードとなり振動検出は出来ないが瞬時に駆動を再開できる様にしておき、省電力化を図る。
【手続補正６９】
【補正対象書類名】明細書
【補正対象項目名】０３３６
【補正方法】変更
【補正の内容】
【０３３６】
ステップ＃１０１６はレリーズボタンｓ１解除からＴ２経過していない場合に進むステップであり、レリーズボタン半押しｓ１を検出し半押しｓ１操作が行われた時にはステップ＃１０１０に戻りレリーズボタン押し切りｓ２を待機し、半押しｓ１操作が行われない時にはステップ＃１０１４に戻りＴ２経過するまで待機する。
【手続補正７０】
【補正対象書類名】明細書
【補正対象項目名】０３３７
【補正方法】変更
【補正の内容】
【０３３７】
これによりレリーズボタン半押しｓ１解除からＴ２（例えば１分）の間に再度撮影を行った場合には振動検出手段は継続して振動検出を行うので瞬時にブレ補正に対応できる。
【手続補正７１】
【補正対象書類名】明細書
【補正対象項目名】０３４１
【補正方法】変更
【補正の内容】
【０３４１】
ステップ＃１０２１ではレリーズボタン半押しｓ１操作を検出し、半押しｓ１操作が行われた時はステップ＃３００３に戻り再びＤＣ／ＤＣコンバータ１１７をオンし回路部を駆動する事で振動検出手段に振動検出を行わせる。
【手続補正７２】
【補正対象書類名】明細書
【補正対象項目名】０３４２
【補正方法】変更
【補正の内容】
【０３４２】
又、レリーズボタン半押しｓ１操作が行われない時はステップ＃１０１９に戻り、時刻Ｔ３が経過するまでレリーズボタン半押しｓ１を検出しつつ待機を続ける。
【手続補正７３】
【補正対象書類名】明細書
【補正対象項目名】図面の簡単な説明
【補正方法】変更
【補正の内容】
【図面の簡単な説明】
【図１】
本発明を適用するカメラのブロック図
【図２】
第１の実施形態の起動準備・駆動回路の回路図
【図３】
振動検出手段を起動するための第１の実施形態のシーケンス図
【図４】
振動検出手段を起動準備・駆動するための第１の実施形態のフローチャート
【図５】
振動検出手段を起動準備・駆動するための第１の実施形態のフローチャート（    続き）
【図６】
本発明をナビゲーション・アクティブサスペンションに応用する概念図
【図７】
ナビゲーション・アクティブサスペンションシステムのブロック図
【図８】
本発明をゲーム機器のコントローラに応用する概念図
【図９】
ゲーム機器のコントローラのブロック図
【図１０】
本発明をテレビの操作リモコンに応用する概念図
【図１１】
テレビの操作リモコンのブロック図
【図１２】
本発明をヘッドマウントディスプレイに応用する概念図
【図１３】
ヘッドマウントディスプレイのブロック図
【図１４】
第２の実施形態の起動準備・駆動回路の回路図
【図１５】
振動検出手段を起動するための第２の実施形態のシーケンス図
【図１６】
振動検出手段を起動準備・駆動するための第２の実施形態のフローチャート
【図１７】
振動検出手段を起動準備・駆動するための第２の実施形態のフローチャート（    続き）
【図１８】
第２の実施形態のもう一つの起動準備・駆動回路の回路図
【図１９】
振動検出手段を起動するための第２の実施形態のもう一つのシーケンス図
【図２０】
第３の実施形態の起動準備・駆動回路の回路図
【図２１】
振動検出手段を起動するための第３の実施形態のシーケンス図
【図２２】
振動検出手段を起動準備・駆動するための第３の実施形態のフローチャート
【図２３】
振動検出手段を起動準備・駆動するための第３の実施形態のフローチャート（    続き）
【図２４】
防振システムを有する従来のコンパクトカメラの概観図
【図２５】
図２４のコンパクトカメラの内部奢侈図
【図２６】
コンパクトカメラの演算手段のブロック図
【図２７】
手ブレ補正手段の正面図
【図２８】
図３１の手ブレ補正手段を矢印５１方向から見た図
【図２９】
図２７の手ブレ補正手段のＡ−Ａ断面図
【図３０】
手ブレ補正手段の斜視図
【図３１】
リング共振器型レーザーを有するレーザージャイロの模式的斜視図
【図３２】
非対称テーパー部を有するリング共振器型レーザーの模式的平面図
【図３３】
レーザージャイロの駆動回路の回路図
【符号の説明】
１１  カメラマイコン
１２  測光手段
１３  測距手段
１４  シャッタ駆動手段
１５  ズーム操作手段
１６ ズーム駆動手段
１７  閃光手段
１８  防振スイッチ
１９  振動検出手段
１１０  補正手段
１１１  ストロボモード入力手段
１１２  撮影モード入力手段
１１３  レリーズ手段
１１４  カメラメインスイッチ
１１５  ＡＦ駆動手段
【手続補正７４】
【補正対象書類名】図面
【補正対象項目名】図１
【補正方法】変更
【補正の内容】
【図１】
2001264835.tif 000001